(57)【要約】【課題】光源の管電流のばらつきをなくした液晶表示装置を得る。【解決手段】液晶表示パネルと、この液晶表示パネルと対向して配置されるバックライトと、これら液晶表示パネルとバックライトをモジュール化するフレームとを少なくとも備え、前記バックライトは複数の光源を備えるとともに、これら各光源への電源供給は前記フレーム面に取り付けられた電源回路から各ケーブルを介してなされるように構成され、前記各ケーブルのフレームの面に沿って延在される部分に該各ケーブルを固定するケーブルガイドが設けられている。【選択図】    図１
2005017371.tif 000002
【特許請求の範囲】
【請求項１】
液晶表示パネルと、この液晶表示パネルと対向して配置されるバックライトと、これら液晶表示パネルとバックライトをモジュール化するフレームとを少なくとも備え、
前記バックライトは複数の光源を備えるとともに、これら各光源への電源供給は前記フレーム面に取り付けられた電源回路から各ケーブルを介してなされるように構成され、
前記各ケーブルのフレームの面に沿って延在される部分に該各ケーブルを固定するケーブルガイドが設けられていることを特徴とする液晶表示装置。
【請求項２】
バックライトは、該液晶表示パネルの少なくとも液晶表示部に対向するように配置された導光板と、この導光板の少なくとも一辺における側壁面に該辺に沿って延在し、該側壁面側に光を照射する複数の冷陰極線管とから構成されていることを特徴とする請求項１に記載の液晶表示装置。
【請求項３】
光源の数は３個以上であることを特徴とする請求項１に記載の液晶表示装置。
【請求項４】
ケーブルガイドはその表面に各ケーブルを挿入して収納させる複数の溝が形成されていることを特徴とする請求項１に記載の液晶表示装置。
【発明の詳細な説明】
【０００１】
【発明の属する技術分野】
本発明は液晶表示装置に係り、特に液晶表示パネルに対向してバックライトが備えられる液晶表示装置に関する。
【０００２】
【従来の技術】
液晶表示パネルは、液晶を介して対向配置される各基板を外囲器とし、該液晶の広がり方向に多数の画素を備え、該画素の集合体を液晶表示部として構成されている。
液晶表示パネルの各画素は、その部分に電界を発生せしめる手段が備えられ、該電界の強さに応じて各画素の液晶の光透過率が制御されるようになっている。このため、各画素の液晶の光透過率に応じて映像される液晶表示部の画像の目視にあっては、該液晶表示部の各画素を透過させる光源を必要とする。
したがって、液晶表示装置は、その液晶表示パネルのたとえば背面にバックライトを備えたものが知られている。
【０００３】
そして、このバックライトとして、該液晶表示パネルの少なくとも液晶表示部に対向するように配置された導光板と、この導光板の少なくとも一辺における側壁面に該辺に沿って延在するたとえば冷陰極線管と、この冷陰極線管からの光を該導光板の前記側壁面に入射させる反射板とから構成されたものが知られている。
このバックライトは、冷陰極線管からの光を導光板内に導き、液晶表示パネルと対向する面側に出射させる平面光源として機能させることができる。
【０００４】
なお、このように構成される液晶表示装置は、液晶表示パネルの観察側の面において液晶表示部を露出させる窓を有する上フレームが配置され、この上フレームはバックライトの背面側に配置される下フレームにかしめられて、これらはモジュール化されるのが通常である。
【０００５】
【発明が解決しようとする課題】
しかしながら、このような構成からなる液晶表示装置において、近年、その液晶表示パネルの大型化にともない、冷陰極線管の数を複数にし、それらを導光板の少なくとも一辺における側壁面に並設させるようにし、光源の光強度を上げるようにしたものが知られている。
そして、この場合、各冷陰極線管の管電流の制御が困難になることが指摘され、この原因を追求した結果、次のことが判明した。
【０００６】
すなわち、各冷陰極線管のそれぞれに電源を供給するためのケーブルを必要とし、このケーブルは下フレームの面に取り付けたインバータから該下フレーム面に沿って各冷陰極線管に至るように配置させているが、このケーブルの位置によって管電流が変化することが見出された。
このことは、金属からなる下フレームとケーブルの距離が近い場合に、その間のリーク電流によって管電流がばらつくものと思われる。
本発明は、このような事情に基づいてなされたものであり、その目的は光源の管電流のばらつきをなくした液晶表示装置を提供するものである。
【０００７】
【課題を解決するための手段】
本願において開示される発明のうち、代表的なものの概要を簡単に説明すれば、以下のとおりである。
手段１．
本発明による液晶表示装置は、たとえば、液晶表示パネルと、この液晶表示パネルと対向して配置されるバックライトと、これら液晶表示パネルとバックライトをモジュール化するフレームとを少なくとも備え、前記バックライトは複数の光源を備えるとともに、これら各光源への電源供給は前記フレーム面に取り付けられた電源回路から各ケーブルを介してなされるように構成され、前記各ケーブルのフレームの面に沿って延在される部分に該各ケーブルを固定するケーブルガイドが設けられていることを特徴とするものである。
【０００８】
手段２．
本発明による液晶表示装置は、たとえば、手段１の構成を前提とし、バックライトは、該液晶表示パネルの少なくとも液晶表示部に対向するように配置された導光板と、この導光板の少なくとも一辺における側壁面に該辺に沿って延在し、該側壁面側に光を照射する複数の冷陰極線管とから構成されていることを特徴とするものである。
【０００９】
手段３．
本発明による液晶表示装置は、たとえば、手段１の構成を前提とし、光源の数は３個以上であることを特徴とするものである。
【００１０】
手段４．
本発明による液晶表示装置は、たとえば、手段１の構成を前提とし、ケーブルガイドはその表面に各ケーブルを挿入して収納させる複数の溝が形成されていることを特徴とするものである。
【００１１】
なお、本発明は以上の構成に限定されず、本発明の技術思想を逸脱しない範囲で種々の変更が可能である。
【００１２】
【発明の実施の形態】
以下、本発明による液晶表示装置の実施例を図面を用いて説明をする。
図１（ａ）は、本発明による液晶表示装置の一実施例を示す正面図である。また、図１（ｂ）は図１（ａ）のｂ−ｂ線における断面を示す図である。
【００１３】
まず、液晶表示パネルＰＮＬがある。この液晶表示パネルＰＮＬは液晶を介して対向配置される一対の基板を外囲器とし、該液晶の広がり方向に多数の画素が形成され、これら画素群を液晶表示部ＡＲとして構成されている。
【００１４】
たとえば、この液晶表示パネルＰＮＬは、前記一対の基板のうち一方の基板の液晶側の面に、そのｘ方向に延在しｙ方向に並設されるゲート信号線とｙ方向に延在しｘ方向に並設されるドレイン信号線とで囲まれた領域を画素領域とし、これら各画素領域において、片側のゲート信号線からの走査信号の供給によってＯＮされるスイッチング素子と、このスイッチング素子を介して片側のドレイン信号線からの映像信号が供給される画素電極とを少なくとも備えている。
【００１５】
この画素電極は前記一対の基板のうちいずれかの基板の液晶側の面に形成された対向電極との間に電界を生じせしめ、この電界によって当該画素領域における液晶の光透過率を制御させるように構成されている。
なお、図示されていないが、液晶表示パネルＰＮＬの周辺には各ゲート信号線および各ドレイン信号線にそれぞれ走査信号および映像信号を供給するための駆動回路が搭載されている。
【００１６】
液晶表示パネルＰＮＬの背面にはいわゆるバックライトが配置されている。このバックライトは、該液晶表示パネルＰＮＬの少なくとも液晶表示部ＡＲに対向するように配置された導光板ＣＬＢと、この導光板ＣＬＢの少なくとも一辺における側壁面に該辺に沿って延在するたとえば冷陰極線管ＬＬと、この冷陰極線管ＬＬからの光を該導光板ＣＬＢの前記側壁面に入射させる反射板ＲＦとから構成されている。このバックライトは、冷陰極線管ＬＬからの光を導光板ＣＬＢ内に導き、液晶表示パネルＰＮＬと対向する面側に出射させる平面光源として機能させることができる。
【００１７】
ここで前記冷陰極線管ＬＬは、たとえば３個からなり、それらを導光板ＣＬＢの少なくとも一辺における側壁面に並設させるようにし、光源の光強度を増加させるようになっている。後に詳述するが、これら各冷陰極線管ＬＬのそれぞれには電源が供給されるようになっているがその電源供給のためのケーブルＣＢが接続され、該ケーブルＣＢは次に説明する下フレームＢＦＲＭの背面側に引き出されるようになっている。
【００１８】
そして、このように構成されるバックライトの背面には下フレームＢＦＲＭが配置され、この下フレームＢＦＲＭは、前記液晶表示パネルＰＮＬの観察側の面側に配置された上フレームＦＦＲＭとかしめられ、該液晶表示パネルＰＮＬおよびバックライトをモジュール化している。なお、上フレームＦＦＲＭは該液晶表示パネルＰＮＬの液晶表示部ＡＲに対向する部分に開口ＨＬ（表示窓）が形成され、この開口ＨＬを通して液晶表示部ＡＲを目視できるようになっている。
【００１９】
また、下フレームＢＦＲＭのバックライトとは反対側の面にはインバータ（電源回路）ＩＮＶが取り付けられている。このインバータＩＮＶは該バックライトの各冷陰極線管ＬＬに電源を供給するようになっている。
【００２０】
図２（ａ）は、このようにモジュール化された液晶表示装置を背面から見た背面図である。前記インバータＩＮＶは、それから３本のケーブルＣＢが引き出され、下フレームＢＦＲＭの面に沿って延在された後、該下フレームＢＦＲＭに形成された孔を通してバックライトの各冷陰極線管ＬＬのそれぞれに接続されている。
【００２１】
そして、前記各ケーブルＣＢの下フレームＢＦＲＭの面に沿って延在される部分にケーブルガイドＣＢＧが該下フレームＢＦＲＭに固定されて配置され、このケーブルガイドＣＢＧによって前記各ケーブルＣＢのそれぞれは位置的に固定された状態で配置されるようになっている。
【００２２】
図２（ｂ）は図２（ａ）のｂ−ｂ線における断面を示した図である。ケーブルガイドＣＢＧはブロック状の絶縁体材料で形成され、その表面には３本の溝ＧＴが並設され、それぞれの溝ＧＴは該絶縁体材料の一辺側からその対向辺にかけて延在されて形成されている。各溝ＧＴの隣接する他の溝ＧＴとの間隔はほぼ等しく、また深さもほぼ等しく形成されている。
インバータＩＮＶから引き出される各ケーブルＣＢは該ケーブルガイドＣＢＧの対応する溝ＧＴ内に収納されるように挿入されている。
【００２３】
このように構成された液晶表示装置は、インバータＩＮＶからの各ケーブルＣＢは前記ケーブルガイドＣＢＧによって下フレームＢＦＲＭからｄの高さに保持され、下フレームＢＦＲＭとの間に発生するリーク電流を回避でき、管電流のばらつきを無くすことができるようになる。
実際には該ｄの高さを４ｍｍ以上とすることにより、管電流のばらつきを抑制できた。
【００２４】
なお、上述した実施例では、ケーブルガイドＣＢＧを１個とし、ケーブルＣＢの延在方向に比較的長さの大きなブロック状のものを用いたものである。しかし、長さの比較的短いケーブルガイドＣＢＧを複数個用意し、これらをケーブルＣＢの延在方向にたとえばほぼ等間隔に配置させるようにし、各ケーブルガイドＣＢＧの溝にケーブルＣＢを挿入、収納するようにしても同様の効果を得ることができる。
【００２５】
上述した実施例では、バックライトとして、液晶表示パネルの少なくとも液晶表示部に対向するように配置された導光板と、この導光板の少なくとも一辺における側壁面に該辺に沿って延在し、該側壁面側に光を照射する複数の冷陰極線管とから構成されたものである。しかし、いわゆる直下型と称されるもので、導光板がなく、液晶表示パネルの少なくとも液晶表示部に対向する仮想の面内に複数の冷陰極線管を並設させた構成のものにも適用できることはいうまでもない。事情は同じだからである。
また、上述した実施例では、光源の数として３個のものを例に挙げて説明したものである。しかし、４個以上であっても同様に適用できることはいうまでもない。
【００２６】
【発明の効果】
以上説明したことから明らかなように、本発明による液晶表示装置によれば、光源の管電流のばらつきをなくすことができる。
【図面の簡単な説明】
【図１】本発明による液晶表示装置の一実施例を示す構成図で、その（ａ）は平面図、その（ｂ）は（ａ）のｂ−ｂ線における断面図である。
【図２】本発明による液晶表示装置の一実施例を示す構成図で、その（ａ）は背面図、その（ｂ）は（ａ）のｂ−ｂ線における断面図である。
【符号の説明】
ＦＦＲＭ…上フレーム、ＰＮＬ…液晶表示パネル、ＬＬ…冷陰極線管、ＲＦ…反射板、ＣＬＢ…導光板、ＢＦＲＭ…下フレーム、ＩＮＶ…インバータ、ＣＢ…ケーブル、ＣＢＧ…ケーブルガイド。
【図１】
2005017371.tif 000003
【図２】
2005017371.tif 000004